(57)【要約】背面投射型テレビ受信機のラスターの歪みを自動的に調整するための方法及び装置は、ディスプレイスクリーンの可視領域の上部、下部、及び横の両側で該ディスプレイスクリーンに配置される光センサの出力を検出し、該ディスプレイスクリーンに表示されるテストラスターパターンに応答して、これらのセンサ出力に基づいて該投射型テレビ受信機により投射されるラスターのセンタリング、幅、高さ及び線形性を調整する。
2005518732.tif 000002
【特許請求の範囲】
【請求項１】
背面投射型テレビ受信機においてラスターのセンタリングを調整するための方法であって、
該背面投射型テレビ受信機の内部であって、ディスプレイスクリーンの横の両側で該ディスプレイスクリーンの外側に光センサを設けるステップと、
ラスターの中央を調整するパターンからなるテストパターンを表示するステップと、
該ディスプレイスクリーンの横の両側に位置された該光センサの出力に基づいて、ラスターのセンタリングを調整するステップと、
を有する方法。
【請求項２】
該調整するステップは、
センタリングの制御を１つの極値に設定するステップと、
横の両側に位置された該光センサにより生成された出力電圧を測定するステップと、
該出力電圧の間の差の絶対値を決めることでセンタリングのエラーを計算するステップと、
該１つの極値から離れて該センタリングの制御を逐次的に調整するステップと、
該センタリングエラーが最小値となるまで、該測定するステップ、該計算するステップ及び逐次的に調整するステップを繰り返すステップと、
を有する請求項１記載のセンタリングを調整するための方法。
【請求項３】
背面投射型テレビ受信機においてラスターの幅を調整するための方法であって、
該背面投射型テレビ受信機の内部であって、ディスプレイスクリーンの横の両側で該ディスプレイスクリーンの外側に光センサを設けるステップと、
ラスターの投射パターンからなるテストパターンを表示するステップと、
該ディスプレイスクリーンの横の両側に位置された該光センサの出力に基づいて、ラスターの幅を調整するステップと、
を有する方法。
【請求項４】
該調整するステップは、
ラスターの幅の制御を最大値に設定するステップと、
横の両側に位置された該光センサにより生成された出力電圧を測定するステップと、
該出力電圧の合計を決めることで幅のエラーを計算するステップと、
該幅の制御を逐次的に減少するステップと、
該幅のエラーが最小値に等しくなるまで、該測定するステップ、該計算するステップ、及び逐次的に減少するステップを繰り返すステップと、
を有する請求項３記載の幅を調整する方法。
【請求項５】
背面投射型テレビ受信機においてラスターの線形性を調整するための方法であって、
該背面投射型テレビ受信機の内部であって、ディスプレイスクリーンの上部及び下部で該ディスプレイスクリーンの外側に光センサを設けるステップと、
ラスターの投射パターンからなるテストパターンを表示するステップと、
該ディスプレイスクリーンの上部及び下部に位置された該光センサの出力に基づいて、ラスターの線形性を調整するステップと、
を有する方法。
【請求項６】
該調整するステップは、
線形性の制御を１つの極値に設定するステップと、
上部及び下部に位置された該光センサにより生成された出力電圧を測定するステップと、
該出力電圧の差の絶対値を決めることで線形性のエラーを計算するステップと、
該１つの極値から離れて該線形性の制御を逐次的に調整するステップと、
該線形性のエラーが最小値となるまで、該測定するステップ、該計算するステップ及び該逐次的に調整するステップを繰り返すステップと、
を有する請求項５記載の線形性を調整するための方法。
【請求項７】
背面投射型テレビ受信機においてラスターの高さを調整するための方法であって、
該背面投射型テレビ受信機の内部であって、ディスプレイスクリーンの上部及び下部で該ディスプレイスクリーンの外側に光センサを設けるステップと、
ラスターの投射パターンからなるテストパターンを表示するステップと、
該ディスプレイスクリーンの上部及び下部に位置された該光センサの出力に基づいて、ラスターの高さを調整するステップと、
を有する方法。
【請求項８】
該調整するステップは、
ラスターの高さの制御を最大値に設定するステップと、
上部及び下部に位置された光センサにより生成された出力電圧を測定するステップと、
該出力電圧の合計を決めることで高さのエラーを計算するステップと、
該高さの制御を逐次的に減少するステップと、
該高さのエラーが最小値になるまで、該測定するステップ、該計算するステップ及び該逐次的に減少するステップを繰り返すステップと、
を有する請求項７記載の高さを調整するための方法。
【請求項９】
背面投射型テレビ受信機においてラスターの歪みを調整するための方法であって、
該背面投射型テレビ受信機の内部であって、ディスプレイスクリーンの横の両側、並びに上部及び下部で該ディスプレイスクリーンの外側に光センサを設けるステップと、
ラスターの高さ及び幅の制御をそれぞれの最大値に設定するステップと、
ラスターの投射パターンからなる第一のテストパターンを表示するステップと、
該光センサからの最大出力を測定して記憶するステップと、
中央を調整するパターンからなる第二のテストパターンを表示するステップと、
該ディスプレイスクリーンの横の両側に位置された該光センサの出力に基づいて、ラスターのセンタリングを調整するステップと、
該第一のテストパターンを表示するステップと、
該ディスプレイスクリーンの横の両側に位置された該光センサの出力に基づいて、ラスターの幅を調整するステップと、
該ディスプレイスクリーンの上部及び下部に位置された該光センサの出力に基づいて、ラスターの高さを調整するステップと、
該ディスプレイスクリーンの上部及び下部に位置された該光センサの出力に基づいて、ラスターの線形性を調整するステップと、
該ディスプレイスクリーンの上部及び下部に位置された該光センサの出力に基づいて、ラスターの高さを再調整するステップと、
を有する方法。
【請求項１０】
該センタリングを調整するステップは、
センタリングの制御を１つの極値に設定するステップと、
横の両側に位置された該光センサにより生成された出力電圧を測定するステップと、
該出力電圧の間の差の絶対値を決めることでセンタリングのエラーを計算するステップと、
該１つの極値から離れて該センタリングの制御を逐次的に調整するステップと、
該センタリングエラーが最小値となるまで、該測定するステップ、該計算するステップ及び該逐次的に調整するステップを繰り返すステップと、
を有する請求項９記載のラスターの歪みを調整するための方法。
【請求項１１】
該幅を調整するステップは、
該ラスターの幅の制御を最大値に設定するステップと、
横の両側に位置された該光センサにより生成された出力電圧を測定するステップと、
該出力電圧の合計を決めることで幅のエラーを計算するステップと、
該幅の制御を逐次的に減少するステップと、
該幅のエラーが最小値に等しくなるまで、該測定するステップ、該計算するステップ及び該逐次的に減少するステップを繰り返すステップと、
を有する請求項１０記載のラスターの歪みを調整する方法。
【請求項１２】
該高さを調整するステップは、
ラスターの高さの制御を最大値に設定するステップと、
上部及び下部に位置された該光センサにより生成された出力電圧を測定するステップと、
該出力電圧の合計を決めることで該高さのエラーを計算するステップと、
該高さの制御を逐次的に減少するステップと、
該高さのエラーが最小値に等しくなるまで、該測定するステップ、該計算するステップ及び該逐次的に減少するステップを繰り返すステップと、
を有する請求項１１記載のラスターの歪みを調整するための方法。
【請求項１３】
該線形性を調整するステップは、
線形性の制御を１つの極値に設定するステップと、
上部及び下部に位置された該光センサにより生成される出力電圧を測定するステップと、
該出力電圧の差の絶対値を決めることで線形性のエラーを計算するステップと、
１つの極値から離れて該線形性の制御を逐次的に調整するステップと、
該線形性のエラーが最小値に等しくなるまで、該測定するステップ、該計算するステップ及び該逐次的に調整するステップを繰り返すステップと、
を有する請求項１２記載のラスターの歪みを調整するための方法。
【請求項１４】
背面投射型テレビ受信機においてラスターの歪みを調整するための装置であって、
該背面投射型テレビ受信機は、テレビ信号を受信するための入力と、受信されたテレビ信号を処理して、カラービデオ信号と偏向制御信号を形成するビデオ処理回路と、該偏向制御信号に依存して該カラービデオ信号に対応する光信号を投射するためのカラービデオ信号プロジェクタと、該光信号が投射されるディスプレイスクリーンとを有しており、
該ビデオ信号処理回路は、該カラービデオ信号プロジェクタの少なくとも１つにより形成されるラスターのセンタリング、高さ、幅及び線形性を制御するための制御信号を受けるための制御入力手段を含んでおり、
選択されたテストパターンを該ビデオ信号処理回路に供給するために該ビデオ信号処理回路に接続されるパターンジェネレータと、該テストパターンは、中央を調整するパターン及びラスターの投射パターンを含み、
該背面投射型テレビ受信機の内部であって、該ディスプレイスクリーンの横の両側、並びに上部及び下部で該ディスプレイスクリーンの外側に設けられる複数の光センサと、
該複数の光センサのうちの１つからの出力信号を選択するためのセンサ出力セレクタと、
選択された光センサの出力信号をデジタル信号に変換するアナログ−デジタルコンバータと、
デジタル信号に変換された光センサの出力信号を受けるために接続される入力と、該光センサの出力信号のうちの１つを選択するための該センサ出力セレクタに接続される第一の出力と、該ビデオ信号処理回路に該パターンジェネレータからのテストパターンを処理させるために該ビデオ信号処理回路に接続される第二の出力と、該テストパターンのうちの１つを選択するために該パターンジェネレータに接続される第三の出力と、１つの該カラービデオ信号プロジェクタにより生成されたラスターのセンタリング、高さ、幅及び線形性を制御するために該ビデオ信号処理回路の制御入力手段に接続される第四の出力とを含むコントローラとを有し、
該コントローラは、
ラスターの高さ及び幅の制御をそれぞれの最大値に設定し、
ラスターの投射パターンからなる第一のテストパターンを表示し、
該光センサからの最大出力を測定して記憶し、
中央を調整するパターンからなる第二のテストパターンを表示し、
該ディスプレイスクリーンの横の両側に位置された該光センサの出力に基づいて、ラスターのセンタリングを調節し、
該第一のテストパターンを表示し、
該ディスプレイスクリーンの横の両側に位置された該光センサの出力に基づいて、ラスターの幅を調整し、
該ディスプレイスクリーンの上部及び下部に位置された該光センサの出力に基づいて、ラスターの高さを調整し、
該ディスプレイスクリーンの上部及び下部に位置された該光センサの出力に基づいて、ラスターの線形性を調整し、
該ディスプレイスクリーンの上部及び下部に位置された該光センサの出力に基づいて、ラスターの高さを再調整する機能を実行する、
ことを特徴とする装置。
【発明の詳細な説明】
【技術分野】
【０００１】
本発明は、背面投射型テレビ受信機に関し、より詳細には、ラスターの歪みの調整に関する。
【背景技術】
【０００２】
ホームシアターシステムの出現により、大型ディスプレイをもつテレビ受信機を有することが益々望まれるようになってきている。標準的なダイレクトビューテレビ受信機は、典型的にガラス製の陰極線管（ＣＲＴ）であるディスプレイを有している。重量及びコストを考慮するため、ＣＲＴは、通常、最大サイズが４０インチ（対角線で測定）に制限される。このサイズが考慮される一方、ホームシアターシステムにとって最小のサイズとして考えられる。これにより、投射構成で画像が形成され、その後リモートスクリーンに投射される投射型のテレビ受信機により、より大型サイズのディスプレイが提供されている。
【０００３】
基本的に、２つのタイプの投射型のテレビ受信機が存在している。すなわち、前面投射型では、投射構成がディスプレイスクリーンから物理的に分離され、背面投射型では、投射構成及びディスプレイスクリーンがキャビネット内に収容される。いずれのケースにおいても、投射構成は、典型的に、３つの主要な色である赤、緑及び青の画像を形成するために３つのモノクロプロジェクタを含んでいる。その後、これらの画像は、ディスプレイスクリーンで集束される。
【０００４】
図１は、典型的な背面投射型のテレビ受信機の内部に関する平面図を示しており、この図では、投射構成１２は、レンズ構成１４により集束される画像を形成している。この画像は、内部ミラー１６からディスプレイスクリーン１８に反射される。図２に示されるように、投射構成１２は、好ましくは、陰極線管である場合がある３つのプロジェクタ１２．１，１２．２及び１２．３により形成され、この陰極線管からの画像は、３つのそれぞれのレンズ１４．１，１４．２及び１４．３によりディスプレイスクリーン１８に集束される。図２から明らかであるように、ただ１つのプロジェクタ、すなわちプロジェクタ１２．２がスクリーン１８に関して最適に位置合わせされている。かかるように、他のプロジェクタ１２．１及び１２．３からの画像は、プロジェクタ１２．２からの画像と集束するように調整される。この集束が投射型テレビ受信機のユーザにより視覚的に実行される場合があるが、このプロセスを自動化するためのシステムが開発されてきている。
【発明の開示】
【発明が解決しようとする課題】
【０００５】
Tsujihara等による米国特許第4,857,998号では、ディスプレイスクリーンの中央の左側及び中央の下部に光センサが位置されるかかるシステムが開示されている。中央の左側のセンサについて水平ライン、及び中央の下部のセンサについて垂直ラインから成るテストパターンがそれぞれの投射管１０について表示される。それぞれの投射管の集束は、該センサがテストパターンの適切な位置を検出するまで調整される。
【０００６】
Kawashima等による米国特許第5,898,465号では、投射型テレビ受信機における集束を自動的に調整するための別のシステムを開示している。Tsujihara等と比較して、中央の左側及び中央の下部のセンサに加えて、中央の上部及び中央の右側にセンサが含まれている。それぞれのＣＲＴに関して、２つのテストパターンが表示され、それぞれのセンサから結果的に得られる信号が比較される。結果的に得られるエラー信号は、集束に作用するために使用される。
【０００７】
Tsujihara等及びKawashima等のシステムは、３つのＣＲＴからのラスターを集束するという課題に対して十分に対処するものであるが、これらの引例は、いずれも、生成されたラスターの歪みに関するものではない。
【課題を解決するための手段】
【０００８】
本発明の目的は、投射型テレビ受信機においてラスターの歪み及び位置合わせを自動的に調整するための方法及び装置を提供することにある。この目的は、背面投射型テレビ受信機においてラスターのセンタリングを調整するための方法において達成される。かかる方法は、該背面投射型テレビ受信機の内部であって、ディスプレイスクリーンの横の両側で該ディスプレイスクリーンの外側に光センサを設けるステップ、ラスターの中央を調整するパターンからなるテストパターンを表示するステップ、及び該ディスプレイスクリーンの横の両側に位置された該光センサの出力に基づいて、ラスターのセンタリングを調整するステップを有している。かかるように、ＣＲＴからのラスター表示がディスプレイスクリーンでセンタリングされることが保証される。
【０００９】
かかる方法に関する特定の実施の形態では、該調整するステップは、センタリングの制御を１つの極値に設定するステップ、横の両側に位置された該光センサにより生成された出力電圧を測定するステップ、該出力電圧の間の差の絶対値を決めることでセンタリングのエラーを計算するステップ、該１つの極値から離れて該センタリングの制御を逐次的に調整するステップ、及び該センタリングエラーが最小値となるまで、該測定するステップ、該計算するステップ及び逐次的に調整するステップを繰り返すステップを有している。これにより、ラスターは、一方の側から、最終的にはディスプレイスクリーンの中央まで繰返し移動することができる。
【００１０】
また、本発明の目的は、背面投射型テレビ受信機においてラスターの幅を調整するための方法において達成される。かかる方法は、該背面投射型テレビ受信機の内部であって、ディスプレイスクリーンの横の両側で該ディスプレイスクリーンの外側に光センサを設けるステップ、ラスターの投射パターンからなるテストパターンを表示するステップ、及び
該ディスプレイスクリーンの横の両側に位置された該光センサの出力に基づいて、ラスターの幅を調整するステップを有している。この方法は、ラスターが表示のために適切な幅を常に有することが保証される。
【００１１】
かかる方法の特定の実施の形態では、該調整するステップは、ラスターの幅の制御を最大値に設定するステップ、横の両側に位置された該光センサにより生成された出力電圧を測定するステップ、該出力電圧の合計を決めることで幅のエラーを計算するステップ、該幅の制御を逐次的に減少するステップ、及び該幅のエラーが最小値に等しくなるまで、該測定するステップ、該計算するステップ、及び逐次的に減少するステップを繰り返すステップを有している。この実施の形態では、ラスターは、その最も広い幅に調整され、その後、ラスターが適切な幅となるまで、幅に関して繰返し減少される。
【００１２】
また、本発明の目的は、背面投射型テレビ受信機においてラスターの線形性を調整するための方法において達成される。かかる方法は、該背面投射型テレビ受信機の内部であって、ディスプレイスクリーンの上部及び下部で該ディスプレイスクリーンの外側に光センサを設けるステップ、ラスターの投射パターンからなるテストパターンを表示するステップ、及び該ディスプレイスクリーンの上部及び下部に位置された該光センサの出力に基づいて、ラスターの線形性を調整するステップを有している。この方法は、ラスターがディスプレイスクリーンで縦にセンタリングされる。
【００１３】
この方法の特定の実施の形態では、該調整するステップは、線形性の制御を１つの極値に設定するステップ、上部及び下部に位置された該光センサにより生成された出力電圧を測定するステップ、該出力電圧の差の絶対値を決めることで線形性のエラーを計算するステップ、該１つの極値から離れて該線形性の制御を逐次的に調整するステップ、及び該線形性のエラーが最小値となるまで、該測定するステップ、該計算するステップ及び該逐次的に調整するステップを繰り返すステップを有している。
【００１４】
本発明の目的は、背面投射型テレビ受信機においてラスターの高さを調整するための方法においてさらに達成される。かかる方法は、該背面投射型テレビ受信機の内部であって、ディスプレイスクリーンの上部及び下部で該ディスプレイスクリーンの外側に光センサを設けるステップ、ラスターの投射パターンからなるテストパターンを表示するステップ、及び該ディスプレイスクリーンの上部及び下部に位置された該光センサの出力に基づいて、ラスターの高さを調整するステップを有している。この方法によれば、ラスターの高さが適切なサイズとなることが保証される。
【００１５】
この方法の特定の実施の形態では、該調整するステップは、ラスターの高さの制御を最大値に設定するステップ、上部及び下部に位置された光センサにより生成された出力電圧を測定するステップ、該出力電圧の合計を決めることで高さのエラーを計算するステップ、該高さの制御を逐次的に減少するステップ、及び該高さのエラーが最小値になるまで、該測定するステップ、該計算するステップ及び該逐次的に減少するステップを繰り返すステップを有している。
【００１６】
最後に、本発明の目的は、背面投射型テレビ受信機においてラスターの歪みを調整するための装置において達成される。該背面投射型テレビ受信機は、テレビ信号を受信するための入力と、受信されたテレビ信号を処理して、カラービデオ信号と偏向制御信号を形成するビデオ処理回路と、該偏向制御信号に依存して該カラービデオ信号に対応する光信号を投射するためのカラービデオ信号プロジェクタと、該光信号が投射されるディスプレイスクリーンとを有している。該ビデオ信号処理回路は、該カラービデオ信号プロジェクタの少なくとも１つにより形成されるラスターのセンタリング、高さ、幅及び線形性を制御するための制御信号を受けるための制御入力手段を含んでいる。
【００１７】
本装置は、以下の構成を有している。  
選択されたテストパターンを該ビデオ信号処理回路に供給するために該ビデオ信号処理回路に接続されるパターンジェネレータ。該テストパターンは、中央を調整するパターン及びラスターの投射パターンを含んでいる。  
該背面投射型テレビ受信機の内部であって、該ディスプレイスクリーンの横の両側、並びに上部及び下部で該ディスプレイスクリーンの外側に設けられる複数の光センサ。  
該複数の光センサのうちの１つからの出力信号を選択するためのセンサ出力セレクタ。
選択された光センサの出力信号をデジタル信号に変換するアナログ−デジタルコンバータ。  
デジタル信号に変換された光センサの出力信号を受けるために接続される入力と、該光センサの出力信号のうちの１つを選択するための該センサ出力セレクタに接続される第一の出力と、該ビデオ信号処理回路に該パターンジェネレータからのテストパターンを処理させるために該ビデオ信号処理回路に接続される第二の出力と、該テストパターンのうちの１つを選択するために該パターンジェネレータに接続される第三の出力と、１つの該カラービデオ信号プロジェクタにより生成されたラスターのセンタリング、高さ、幅及び線形性を制御するために該ビデオ信号処理回路の制御入力手段に接続される第四の出力とを含むコントローラ。
【００１８】
該コントローラは、以下の機能を実行することを特徴とする。ラスターの高さ及び幅の制御をそれぞれの最大値に設定し、ラスターの投射パターンからなる第一のテストパターンを表示し、該光センサからの最大出力を測定して記憶し、中央を調整するパターンからなる第二のテストパターンを表示し、該ディスプレイスクリーンの横の両側に位置された該光センサの出力に基づいて、ラスターのセンタリングを調節し、該第一のテストパターンを表示し、該ディスプレイスクリーンの横の両側に位置された該光センサの出力に基づいて、ラスターの幅を調整し、該ディスプレイスクリーンの上部及び下部に位置された該光センサの出力に基づいて、ラスターの高さを調整し、該ディスプレイスクリーンの上部及び下部に位置された該光センサの出力に基づいて、ラスターの線形性を調整し、該ディスプレイスクリーンの上部及び下部に位置された該光センサの出力に基づいて、ラスターの高さを再調整する。  
上記及び更なる目的及び利点を念頭に、本発明は、添付図面を参照して説明される。
【発明を実施するための最良の形態】
【００１９】
図３に示されるように、典型的な背面投射型テレビ受信機は、たとえばアンテナ１００といったテレビ信号源を含んでいる。アンテナ１００は、チューナ１０２に接続されており、このチューナ１０２は、特定のテレビ信号に同調する。このテレビ信号は、ビデオ信号処理回路１０４に供給され、このビデオ信号処理回路は、偏向信号ジェネレータ１０６に供給するための同期信号と、陰極線管に供給するための３つの主要な色である赤、緑及び青の分離したカラービデオ信号とを生成する。便宜上、緑の陰極線管１２．２のみが示されている。偏向信号ジェネレータ１０６は、陰極線管１２．２に設けられた偏向ユニット１０８のための偏向信号を生成する。陰極線管１２．２から結果的に得られる光は、レンズ１４．２により焦点合わせされ、ディスプレイスクリーン１６に衝突する。ディスプレイスクリーン１６は、背面投射型テレビ受信機のユーザの目に見える可視領域２０を有している。偏向信号ジェネレータ１０６は、赤及び緑の陰極線管（図示せず）について個別の出力（図示せず）を有している場合がある。代替的に、個別の偏向信号ジェネレータは、赤及び緑の陰極線管について使用される場合がある。当該技術分野で公知であるように、偏向信号ジェネレータは、結果として得られるラスターのセンタリング、幅、高さ及び線形性を制御するための制御入力を含んでいる。
【００２０】
ラスターの歪みを調整するため、背面投射型のテレビ受信機は、可視領域２０の外側でディスプレイスクリーン１６に取り付けられている光センサＳ１，Ｓ２，Ｓ３及びＳ４をさらに含んでいる。光センサは、可視領域２０の中央の上部、中央の下部、中央の左側、及び中央の右側に位置されている。可視領域の外側に位置されているが、これらの光センサは、陰極線管１２．２からの光により照射可能である。光センサからの出力は、センサセレクタ１１０に接続されており、このセンサセレクタ１１０は、制御信号に応答して、センサ出力信号のうちの１つをアナログ−デジタルコンバータ１１２に供給する。その後、デジタル信号に変換されたセンサの出力信号は、マイクロプロセッサ１１４に供給される。
【００２１】
マイクロプロセッサ１１４は、チューナ１０２によるチューニング、及びビデオ信号処理回路１０４で実行されるビデオ処理を制御する。さらに、マイクロプロセッサ１１４は、２つのビデオパターンのうちの一方を生成するためのパターンジェネレータ１１６に制御信号を供給し、ラスターの調整が望まれるとき、選択されたビデオパターンを表示するようにビデオ信号処理回路１０４に指示する。ラスターを調整するため、マイクロプロセッサ１１４は、偏向信号ジェネレータ１０６の制御入力に適切な制御信号を供給する。
【００２２】
図６は、ラスターの調整においてマイクロプロセッサ１１４により実行されるプロセスに関するフローチャートである。投射型テレビ受信機のユーザが、たとえばオンスクリーン  メニュー  オプションから「ラスター調整」を選択したとき、ステップ２００でプロセスが開始される。
【００２３】
ステップ２０２で、マイクロプロセッサ１１４は、偏向信号ジェネレータ１０６の高さ及び幅の制御をそれらの最大レベルに設定する。ステップ２０４は、たとえば図４Ａに示されるラスターの投射のパターン１１８を生成するように、マイクロプロセッサ１１４は、パターンジェネレータ１１６に指示する。ステップ２０６で、マイクロプロセッサ１１４は、センサセレクタ１１０にセンサＳ１，Ｓ２，Ｓ３及びＳ４のそれぞれに連続的に切り替えさせ、次いで測定し、Ａ／Ｄコンバータ１１２からのそれぞれの出力を記憶することで、結果として得られるセンサ出力Ｖ１ＭＡＸ，Ｖ２ＭＡＸ，Ｖ３ＭＡＸ，Ｖ４ＭＡＸを測定する。次いで、マイクロプロセッサ１１４は、ステップ２０８で、ラスターの投射パターン１１８を除き、ステップ２１０で、たとえば図５Ａに示されるような中央を調節するパターン１２０を供給するためにパターンジェネレータ１１６に指示する。ステップ２１２で、その後、マイクロプロセッサ１１４は、投射型テレビ受信機のセンタリングを調整する。マイクロプロセッサは、ステップ２１４で、中央の調節パターン１２０を除き、ステップ２１６で、ラスター投射パターン１１８を再び供給するようにパターンジェネレータ１１６に指示する。その後、マイクロプロセッサ１１４は、幅を調整し（ステップ２１８）、高さを調整し（ステップ２２０）、及び線形性（ステップ２２２）を調整する。なお、線形性を調整することにおいて、ラスターの高さが妥協される場合がある。かかるように、ステップ２２４で、高さ調整のサブルーチンが繰り返される。ステップ２２６で、マイクロプロセッサ１１４は、ラスターの投射パターンを除くようにパターンジェネレータ１１６に指示し、ステップ２２８で、処理が終了する。
【００２４】
図７Ａから図７Ｄは、センタリング、幅、高さ及び線形性を調節するためのサブルーチンに関するフローチャートを示している。センタリングを制御するため、図７Ａに示されるような図６のステップ２１２である中央の制御のサブルーチンは、ステップ３００で開始される。ステップ３０２で、マイクロプロセッサ１１４は、センサセレクタ１１０を線御することで、センサＳ３及びＳ４の出力電圧ＶＳ３及びＶＳ４をそれぞれ計測する。次いで、マイクロプロセッサ１１４は、式ＣＥ＝｜ＶＳ４−ＶＳ３｜を使用してセンタリングエラーを計算する。ＣＥが第一の所定の最小値ＭＩＮ１に等しくない（又は該ＭＩＮ１よりも小さくない）場合、マイクロプロセッサ１１４は、偏向信号ジェネレータ１０６に供給されるセンタリングのために制御信号を調節する。ＣＥがＭＩＮ１に等しいか又は該ＭＩＮ１よりも小さくなるまで、ステップ３０２，３０４，３０６及び３０８が繰り返し実行される。次いで、ステップ３１０で、マイクロプロセッサ１１４は、それらの元の値に高さ及び幅の制御を再設定する。その後、ステップ３１２で、このサブルーチンが終了する。
【００２５】
幅の制御について、図７Ｂに示されるように、図６のステップ２１８である幅の制御のサブルーチンは、ステップ３２０で開始される。ステップ３２２で、マイクロプロセッサ１１４は、センサ電圧ＶＳ３及びＶＳ４を測定し、ステップ３２４で、マイクロプロセッサ１１４は、式ＷＥ＝ＶＳ４＋ＶＳ３を使用して幅のエラーＷＥを計算する。ステップ３２６で、ＷＥが第二の所定の閾値ＭＩＮ２に等しくない（又は該ＭＩＮ２よりも小さくない）場合、ステップ３２８で、マイクロプロセッサ１１４は、偏向信号ジェネレータ１０６の幅の制御入力に供給される制御信号を調整する。次いで、マイクロプロセッサ１１４は、幅のエラーＷＥがＭＩＮ２に等しく（又は該ＭＩＮ２よりも小さく）なるまで、ステップ３２２，３２４，３２６及び３２８を繰り返し、ステップ３３０で、サブルーチンが終了する。図５Ａは、中央の調整パターンが右に余りにずれており、図５Ｂは、中央の調整パターンが正しい位置で示されている。
【００２６】
高さの制御について、図７Ｃに示されるように、図６のステップ２２０であるサブルーチンは、ステップ３４０で開始され、ステップ３４２で、マイクロプロセッサ１１４は、センサＳ１及びＳ２の出力電圧ＶＳ１及びＶＳ２を測定する。ステップ３４４で、マイクロプロセッサ１１４は、式ＨＥ＝ＶＳ２＋ＶＳ１を使用して高さのエラーＨＥを計算する。ステップ３４６で、高さのエラーが第三の所定の最小値ＭＩＮ３に等しくないか（又は該ＭＩＮ３よりも小さくない）場合、ステップ３４８で、マイクロプロセッサ１１４は、偏向信号ジェネレータ１０６の幅の制御入力に供給される制御信号を調整し、次いで、高さのエラーＨＥがＭＩＮ３よりも小さいか、又は該ＭＩＮ３に等しくなるまで、ステップ３４２，３４４，３４６及び３４８を繰り返す。その後、ステップ３５０で、サブルーチンは終了する。
【００２７】
線形性の制御について（すなわち、ラスターの垂直のセンタリング）、図７Ｄに示されるように、図６におけるステップ２２２であるサブルーチンは、ステップ３６０で開始される。ステップ３６２で、マイクロプロセッサ１１４は、センサ電圧ＶＳ１及びＶＳ２を測定し、ステップ３６４で、マイクロプロセッサ１１４は、式ＬＥ＝｜ＶＳ２−ＶＳ１｜を使用して線形性のエラーＬＥを計算する。ステップ３６６で、線形性のエラーＬＥは第四の最小値ＭＩＮ４よりも小さくないか、又は該ＭＩＮ４に等しくない場合、ステップ３６８で、マイクロプロセッサ１１４は、偏向信号ジェネレータ１０６の線形性の制御入力への制御信号を調整し、線形性のエラーがＭＩＮ４よりも小さいか、又は該ＭＩＮ４に等しくなるまで、ステップ３６２，３６４，３６６及び３６８を繰り返す。ステップ３７０で、サブルーチンは終了する。
【００２８】
本明細書で開示された構造に関する様々な変更及び修正は、当該技術分野に対してそれ自身提供されるであろう。しかし、先に説明された実施の形態は、例示を目的としていることが理解されるべきであり、本発明を限定するものとして解釈されるべきではない。本発明の精神から逸脱することのない全てのかかる変更は、特許請求の範囲に含まれることが意図される。
【図面の簡単な説明】
【００２９】
【図１】典型的な投射型テレビ受信機を示す平面図である。
【図２】図１に示される投射型テレビジョンにおける３つのＣＲＴ間の関係を例示する図である。
【図３】本発明が組み込まれた、図１の背面投射型テレビジョンのブロック構成図である。
【図４Ａ】ラスター投射パターンがその最大サイズである背面型テレビ受信機の内部を例示する図である。
【図４Ｂ】ラスター投射パターンがその最適なサイズである場合を例示する図である。
【図５Ａ】ラスターの中央を調整するパターンが一方の側に偏っている背面投射型テレビ受信機の内部を例示する図である。
【図５Ｂ】ラスターの中央を調整するパターンが適切に位置される場合を例示する図である。
【図６】背面投射型テレビ受信機のラスター歪みを調整するための処理に関するフローチャートである。
【図７Ａ】図６のフローチャートで使用するためのラスターの中央を調整するパターンのセンタリングを調整するためのサブルーチンに関するフローチャートである。
【図７Ｂ】ラスター投射パターンの幅を調整するためのサブルーチンに関するフローチャートである。
【図７Ｃ】ラスター投射パターンの高さを調整するためのサブルーチンに関するフローチャートである。
【図７Ｄ】ラスター投射パターンの線形性を調整するためのフローチャートである。
【図１】
2005518732.tif 000003
【図２】
2005518732.tif 000004
【図３】
2005518732.tif 000005
【図４Ａ】
2005518732.tif 000006
【図４Ｂ】
2005518732.tif 000007
【図５Ａ】
2005518732.tif 000008
【図Ｂ】
2005518732.tif 000009
【図６】
2005518732.tif 000010
【図７Ａ】
2005518732.tif 000011
【図７Ｂ】
2005518732.tif 000012
【図７Ｃ】
2005518732.tif 000013
【図７Ｄ】
2005518732.tif 000014
【国際調査報告】
2005518732.tif 000015
2005518732.tif 000016
2005518732.tif 000017